(57)【要約】  本願の実施例は補助キャリア状態の切り替え方法、端末装置及びネットワーク装置を開示し、該方法は、端末装置がネットワーク装置から送信された媒体アクセス制御（ＭＡＣ）の制御要素（ＣＥ）を受信することと、該端末装置が該ＭＡＣ  ＣＥに基づいて、該端末装置の第１補助キャリアを第１状態から第２状態に切り替え、該第１状態と該第２状態がアクティブ状態、非アクティブ状態及び休眠状態のうちの２種の異なる状態であることとを含む。本願の実施例の方法、端末装置及びネットワーク装置は、補助キャリアの利用率と端末装置の消費電力とをバランスさせることに有利である。
2021516503.tif 000002
【特許請求の範囲】
【請求項１】
補助キャリア状態の切り替え方法であって、
端末装置がネットワーク装置から送信された媒体アクセス制御（ＭＡＣ）の制御要素（ＣＥ）を受信することと、
前記端末装置が前記ＭＡＣ  ＣＥに基づいて、前記端末装置の第１補助キャリアを第１状態から第２状態に切り替え、前記第１状態と前記第２状態がアクティブ状態、非アクティブ状態及び休眠状態のうちの２種の異なる状態であることと、を含むことを特徴とする補助キャリア状態の切り替え方法。
【請求項２】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態又は休眠状態からアクティブ状態に切り替えること、を指示することに用いられ、
前記第２ＭＡＣ  ＣＥは、前記第１補助キャリアをアクティブ状態又は非アクティブ状態から休眠状態に切り替えることを指示することに用いられることを特徴とする請求項１に記載の方法。
【請求項３】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態からアクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項１に記載の方法。
【請求項４】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態又は休眠状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態から非アクティブ状態に切り替えること、を指示することに用いられることを特徴とする請求項１に記載の方法。
【請求項５】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項１に記載の方法。
【請求項６】
前記第１ＭＡＣ  ＣＥに対応するサブヘッダは第１ロジックチャネル識別子（ＬＣＩＤ）を含み、前記第２ＭＡＣ  ＣＥに対応するサブヘッダは第２ＬＣＩＤを含み、前記第１ＬＣＩＤと前記第２ＬＣＩＤは異なることを特徴とする請求項２〜５のいずれか１項に記載の方法。
【請求項７】
前記第１状態がアクティブ状態であり、前記第２状態が休眠状態であり、前記方法は、
前記第１補助キャリアがアクティブ状態から休眠状態に入るとき、前記端末装置が第１タイマーを起動又は再起動することと、
前記端末装置が前記第１タイマーの期間内に、前記第１補助キャリアが休眠状態からアクティブ状態に入ることを指示するためのＭＡＣ  ＣＥを受信すると、前記端末装置が前記第１補助キャリアを休眠状態からアクティブ状態に切り替えて、前記第１タイマーを起動又は再起動し、又は、前記第１タイマーがタイムアウトすると、前記端末装置が前記第１補助キャリアを休眠状態から非アクティブ状態に切り替えることと、を更に含むことを特徴とする請求項１〜６のいずれか１項に記載の方法。
【請求項８】
前記端末装置が第１タイマーを起動又は再起動することは、
前記第１タイマーは前記ネットワーク装置が前記第１補助キャリアに対してアクティブ状態で設定したタイマーであると、前記端末装置が前記第１タイマーを再起動すること、又は
前記第１タイマーは前記ネットワーク装置が前記第１補助キャリアに対して休眠状態で設定したタイマーであると、前記端末装置が前記第１タイマーを起動することを含むことを特徴とする請求項７に記載の方法。
【請求項９】
前記ＭＡＣ  ＣＥは前記端末装置の複数の補助キャリアに一対一対応する複数のビットを含み、前記複数の補助キャリアの数はシステムがサポートするアグリゲーションキャリアの数であることを特徴とする請求項１〜８のいずれか１項に記載の方法。
【請求項１０】
前記ネットワーク装置が前記端末装置に対して前記第１補助キャリアを設定するとき、前記第１補助キャリアがデフォルトで休眠状態にあることを特徴とする請求項１〜９のいずれか１項に記載の方法。
【請求項１１】
補助キャリア状態の切り替え方法であって、
端末装置の第１補助キャリアが休眠状態に入るとき、前記端末装置が第１タイマーを起動又は再起動することと、
前記端末装置が前記第１タイマーの期間内に、前記第１補助キャリアがアクティブ状態に入ることを指示する媒体アクセス制御（ＭＡＣ）の制御要素（ＣＥ）を受信すると、前記端末装置が前記第１補助キャリアを休眠状態からアクティブ状態に切り替えて、第１タイマーを起動又は再起動し、又は、前記第１タイマーがタイムアウトすると、前記端末装置が前記第１補助キャリアを休眠状態から非アクティブ状態に切り替えることと、を含むことを特徴とする補助キャリア状態の切り替え方法。  
【請求項１２】
前記端末装置が第１タイマーを起動又は再起動することは、
前記第１タイマーはネットワーク装置が前記第１補助キャリアに対してアクティブ状態で設定したタイマーであると、前記端末装置が前記第１タイマーを再起動すること、又は
前記第１タイマーはネットワーク装置が前記第１補助キャリアに対して休眠状態で設定したタイマーであると、前記端末装置が前記第１タイマーを起動することを含むことを特徴とする請求項１１に記載の方法。
【請求項１３】
補助キャリア状態の切り替え方法であって、
ネットワーク装置が端末装置に媒体アクセス制御（ＭＡＣ）の制御要素（ＣＥ）を送信し、前記ＭＡＣ  ＣＥは前記端末装置の第１補助キャリアを第１状態から第２状態に切り替えることを指示することに用いられ、前記第１状態と前記第２状態がアクティブ状態、非アクティブ状態及び休眠状態のうちの２種の異なる状態であることを含むことを特徴とする補助キャリア状態の切り替え方法。
【請求項１４】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態又は休眠状態からアクティブ状態に切り替えること、を指示することに用いられ、
前記第２ＭＡＣ  ＣＥは、前記第１補助キャリアをアクティブ状態又は非アクティブ状態から休眠状態に切り替えることを指示することに用いられることを特徴とする請求項１３に記載の方法。
【請求項１５】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態からアクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項１３に記載の方法。
【請求項１６】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態又は休眠状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態から非アクティブ状態に切り替えること、を指示することに用いられることを特徴とする請求項１３に記載の方法。
【請求項１７】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項１３に記載の方法。
【請求項１８】
前記第１ＭＡＣ  ＣＥに対応するサブヘッダは第１ロジックチャネル識別子（ＬＣＩＤ）を含み、前記第２ＭＡＣ  ＣＥに対応するサブヘッダは第２ＬＣＩＤを含み、前記第１ＬＣＩＤと前記第２ＬＣＩＤは異なることを特徴とする請求項１３〜１７のいずれか１項に記載の方法。
【請求項１９】
前記ＭＡＣ  ＣＥは前記端末装置の複数の補助キャリアに一対一対応する複数のビットを含み、前記複数の補助キャリアの数はシステムがサポートするアグリゲーションキャリアの数であることを特徴とする請求項１３〜１８のいずれか１項に記載の方法。
【請求項２０】
前記ネットワーク装置が前記端末装置に対して前記第１補助キャリアを設定するとき、前記第１補助キャリアがデフォルトで休眠状態にあることを特徴とする請求項１３〜１９のいずれか１項に記載の方法。
【請求項２１】
端末装置であって、
ネットワーク装置から送信された媒体アクセス制御（ＭＡＣ）の制御要素（ＣＥ）を受信することに用いられる受信ユニットと、
前記ＭＡＣ  ＣＥに基づいて、前記端末装置の第１補助キャリアを第１状態から第２状態に切り替え、前記第１状態と前記第２状態がアクティブ状態、非アクティブ状態及び休眠状態のうちの２種の異なる状態である切り替えユニットと、を備えることを特徴とする端末装置。
【請求項２２】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態又は休眠状態からアクティブ状態に切り替えること、を指示することに用いられ、
前記第２ＭＡＣ  ＣＥは、前記第１補助キャリアをアクティブ状態又は非アクティブ状態から休眠状態に切り替えることを指示することに用いられることを特徴とする請求項２１に記載の端末装置。
【請求項２３】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態からアクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項２１に記載の端末装置。
【請求項２４】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態又は休眠状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態から非アクティブ状態に切り替えること、を指示することに用いられることを特徴とする請求項２１に記載の端末装置。
【請求項２５】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項２１に記載の端末装置。
【請求項２６】
前記第１ＭＡＣ  ＣＥに対応するサブヘッダは第１ロジックチャネル識別子（ＬＣＩＤ）を含み、前記第２ＭＡＣ  ＣＥに対応するサブヘッダは第２ＬＣＩＤを含み、前記第１ＬＣＩＤと前記第２ＬＣＩＤは異なることを特徴とする請求項２２〜２５のいずれか１項に記載の端末装置。
【請求項２７】
前記第１状態がアクティブ状態であり、前記第２状態が休眠状態であり、前記端末装置は、
前記第１補助キャリアがアクティブ状態から休眠状態に入るとき、第１タイマーを起動又は再起動することに用いられるタイミングユニットを更に備え、
前記切り替えユニットは更に、
前記受信ユニットが前記第１タイマーの期間内に、前記第１補助キャリアが休眠状態からアクティブ状態に入ることを指示するためのＭＡＣ  ＣＥを受信すると、前記第１補助キャリアを休眠状態からアクティブ状態に切り替えること、又は
前記第１タイマーがタイムアウトすると、前記第１補助キャリアを休眠状態から非アクティブ状態に切り替えること、に用いられることを特徴とする請求項２１〜２６のいずれか１項に記載の端末装置。
【請求項２８】
前記タイミングユニットは具体的に、
前記第１タイマーは前記ネットワーク装置が前記第１補助キャリアに対してアクティブ状態で設定したタイマーであると、前記第１タイマーを再起動すること、又は
前記第１タイマーは前記ネットワーク装置が前記第１補助キャリアに対して休眠状態で設定したタイマーであると、前記第１タイマーを起動すること、に用いられることを特徴とする請求項２７に記載の端末装置。
【請求項２９】
前記ＭＡＣ  ＣＥは前記端末装置の複数の補助キャリアに一対一対応する複数のビットを含み、前記複数の補助キャリアの数はシステムがサポートするアグリゲーションキャリアの数であることを特徴とする請求項２１〜２８のいずれか１項に記載の端末装置。
【請求項３０】
前記ネットワーク装置が前記端末装置に対して前記第１補助キャリアを設定するとき、前記第１補助キャリアがデフォルトで休眠状態にあることを特徴とする請求項２１〜２９のいずれか１項に記載の端末装置。
【請求項３１】
端末装置であって、
端末装置の第１補助キャリアが休眠状態に入るとき、第１タイマーを起動又は再起動することに用いられるタイミングユニットと、
前記端末装置が前記第１タイマーの期間内に、前記第１補助キャリアがアクティブ状態に入ることを指示する媒体アクセス制御（ＭＡＣ）の制御要素（ＣＥ）を受信すると、前記第１補助キャリアを休眠状態からアクティブ状態に切り替えること、又は
前記第１タイマーがタイムアウトすると、前記第１補助キャリアを休眠状態から非アクティブ状態に切り替えることに用いられる切り替えユニットと、を備えることを特徴とする端末装置。
【請求項３２】
前記タイミングユニットは具体的に、
前記第１タイマーはネットワーク装置が前記第１補助キャリアに対してアクティブ状態で設定したタイマーであると、前記第１タイマーを再起動すること、又は
前記第１タイマーはネットワーク装置が前記第１補助キャリアに対して休眠状態で設定したタイマーであると、前記第１タイマーを起動すること、に用いられることを特徴とする請求項３１に記載の端末装置。
【請求項３３】
ネットワーク装置であって、
端末装置に媒体アクセス制御（ＭＡＣ）の制御要素（ＣＥ）を送信することに用いられ、前記ＭＡＣ  ＣＥは前記端末装置の第１補助キャリアを第１状態から第２状態に切り替えることを指示することに用いられ、前記第１状態と前記第２状態がアクティブ状態、非アクティブ状態及び休眠状態のうちの２種の異なる状態である送信ユニットを備えることを特徴とするネットワーク装置。
【請求項３４】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態又は休眠状態からアクティブ状態に切り替えること、を指示することに用いられ、
前記第２ＭＡＣ  ＣＥは、前記第１補助キャリアをアクティブ状態又は非アクティブ状態から休眠状態に切り替えることを指示することに用いられることを特徴とする請求項３３に記載のネットワーク装置。
【請求項３５】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態からアクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項３３に記載のネットワーク装置。
【請求項３６】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態又は休眠状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態から非アクティブ状態に切り替えること、を指示することに用いられることを特徴とする請求項３３に記載のネットワーク装置。
【請求項３７】
前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項３３に記載のネットワーク装置。
【請求項３８】
前記第１ＭＡＣ  ＣＥに対応するサブヘッダは第１ロジックチャネル識別子（ＬＣＩＤ）を含み、前記第２ＭＡＣ  ＣＥに対応するサブヘッダは第２ＬＣＩＤを含み、前記第１ＬＣＩＤと前記第２ＬＣＩＤは異なることを特徴とする請求項３３〜３７のいずれか１項に記載のネットワーク装置。
【請求項３９】
前記ＭＡＣ  ＣＥは前記端末装置の複数の補助キャリアに一対一対応する複数のビットを含み、前記複数の補助キャリアの数はシステムがサポートするアグリゲーションキャリアの数であることを特徴とする請求項３３〜３８のいずれか１項に記載のネットワーク装置。
【請求項４０】
前記ネットワーク装置が前記端末装置に対して前記第１補助キャリアを設定するとき、前記第１補助キャリアがデフォルトで休眠状態にあることを特徴とする請求項３３〜３９のいずれか１項に記載のネットワーク装置。
【発明の詳細な説明】
【技術分野】
【０００１】
本願の実施例は通信分野に関し、より具体的に、補助キャリア状態の切り替え方法、端末装置及びネットワーク装置に関する。
【背景技術】
【０００２】
無線通信技術の急速な発展に伴い、ロングタームエボリューション（Ｌｏｎｇ  Ｔｅｒｍ  Ｅｖｏｌｖｅｄ、ＬＴＥ）にはキャリアアグリゲーション技術が導入されている。キャリアアグリゲーションプロセスで、ユーザー装置（Ｕｓｅｒ  Ｅｑｕｉｐｍｅｎｔ、ＵＥ）は複数のキャリア又はセルを介してデータを送受信することができる。１つ又は複数の補助キャリア又は補助セルが含まれる。補助キャリアの役目は主に追加の無線リソースをデータ伝送に提供することであり、それらはアクティブ又は非アクティブ状態にあり得る。
【０００３】
ＵＥのサービスが変動性と突発性を有し、即ち、ある期間中にサービス量が非常に少ないが、ある期間中にサービス量が非常に大きいため、ＵＥのサービス量が少ないとき、節電のために、更にキャリアセットにおける補助キャリアに対してアクティブ又は非アクティブ操作を行うことができる。ＵＥは処理する必要があるサービスがあるとき、非アクティブ状態にある補助キャリアをアクティブ状態に切り替える必要があるが、非アクティブ状態からアクティブ状態に切り替える時間が長く、処理すべきサービスをタイムリに処理できなくなってしまう可能性がある。従って、新無線（Ｎｅｗ  Ｒａｄｉｏ、ＮＲ）には新たな状態、即ち休眠状態（Ｄｏｒｍａｎｔ）が提案され、該休眠状態はアクティブ状態と非アクティブ状態との間に介在する状態であり、ある補助キャリアが休眠状態にある場合、ＵＥは物理ダウンリンク制御チャンネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）をセンシングせずに、無線リソース管理（Ｒａｄｉｏ  Ｒｅｓｏｕｒｃｅ  Ｍａｎａｇｅｍｅｎｔ、ＲＲＭ）測定とチャネル品質指標（Ｃｈａｎｎｅｌ  Ｑｕａｎｔｉｔｙ  Ｉｎｄｉｃａｔｏｒ、ＣＱＩ）報告を行う必要があり、省電力の目的を実現できるとともに、迅速に補助キャリアをアクティブ状態に切り替えることができる。休眠状態が導入された後、如何に補助キャリアの該３つの状態の間に切り替えるかということは研究する必要がある課題である。
【発明の概要】
【発明が解決しようとする課題】
【０００４】
これに鑑みて、本願は補助キャリア状態の切り替え方法、端末装置及びネットワーク装置を提供し、ネットワーク装置はＭＡＣ  ＣＥによって補助キャリアの状態の切り替えを端末装置に指示し、補助キャリアの利用率と端末装置の消費電力とをバランスさせることに有利である。
【０００５】
第１形態では、補助キャリア状態の切り替え方法を提供し、該方法は、
端末装置がネットワーク装置から送信された媒体アクセス制御（ＭＡＣ）の制御要素（ＣＥ）を受信することと、
該端末装置が該ＭＡＣ  ＣＥに基づいて、該端末装置の第１補助キャリアを第１状態から第２状態に切り替え、該第１状態と該第２状態がアクティブ状態、非アクティブ状態及び休眠状態のうちの２種の異なる状態であることと、を含む。
【０００６】
１つの可能な実現形態では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態又は休眠状態からアクティブ状態に切り替えること、を指示することに用いられ、
該第２ＭＡＣ  ＣＥは、該第１補助キャリアをアクティブ状態又は非アクティブ状態から休眠状態に切り替えることを指示することに用いられる。
【０００７】
１つの可能な実現形態では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態からアクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態又は非アクティブ状態から休眠状態に切り替えること、及び
該第２ＭＡＣ  ＣＥのうちの、該第１補助キャリアのインデックスに対応するビットの値が第２値である場合、該第１補助キャリアを休眠状態からアクティブ状態に切り替えること、を指示することに用いられる。
【０００８】
１つの可能な実現形態では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアを非アクティブ状態又は休眠状態からアクティブ状態に切り替えること、及び
該第１ＭＡＣ  ＣＥのうちの、該第１補助キャリアのインデックスに対応するビットの値が第２値である場合、該第１補助キャリアをアクティブ状態から非アクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態又は非アクティブ状態から休眠状態に切り替えること、及び
該第２ＭＡＣ  ＣＥのうちの、該第１補助キャリアのインデックスに対応するビットの値が第２値である場合、該第１補助キャリアを休眠状態から非アクティブ状態に切り替えること、を指示することに用いられる。
【０００９】
１つの可能な実現形態では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアを非アクティブ状態からアクティブ状態に切り替えること、及び
該第１ＭＡＣ  ＣＥのうちの、該第１補助キャリアのインデックスに対応するビットの値が第２値である場合、該第１補助キャリアをアクティブ状態から非アクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態から休眠状態に切り替えること、及び
該第２ＭＡＣ  ＣＥのうちの、該第１補助キャリアのインデックスに対応するビットの値が第２値である場合、該第１補助キャリアを休眠状態からアクティブ状態に切り替えること、を指示することに用いられる。
【００１０】
１つの可能な実現形態では、該第１ＭＡＣ  ＣＥに対応するサブヘッダは第１ロジックチャネル識別子（ＬＣＩＤ）を含み、該第２ＭＡＣ  ＣＥに対応するサブヘッダは第２ＬＣＩＤを含み、該第１ＬＣＩＤと該第２ＬＣＩＤは異なる。
【００１１】
１つの可能な実現形態では、該第１状態がアクティブ状態であり、該第２状態が休眠状態であり、該方法は、
該第１補助キャリアがアクティブ状態から休眠状態に入るとき、該端末装置が第１タイマーを起動又は再起動することと、
該端末装置が該第１タイマーの期間内に、該第１補助キャリアが休眠状態からアクティブ状態に入ることを指示するためのＭＡＣ  ＣＥを受信すると、該端末装置が該第１補助キャリアを休眠状態からアクティブ状態に切り替えて、該第１タイマーを起動又は再起動し、又は、該第１タイマーがタイムアウトすると、該端末装置が該第１補助キャリアを休眠状態から非アクティブ状態に切り替えることと、を更に含む。
【００１２】
１つの可能な実現形態では、該端末装置が第１タイマーを起動又は再起動することは、
該第１タイマーは該ネットワーク装置が該第１補助キャリアに対してアクティブ状態で設定したタイマーであると、該端末装置が該第１タイマーを再起動すること、又は
該第１タイマーは該ネットワーク装置が該第１補助キャリアに対して休眠状態で設定したタイマーであると、該端末装置が該第１タイマーを起動することを含む。
【００１３】
１つの可能な実現形態では、該ＭＡＣ  ＣＥは該端末装置の複数の補助キャリアに一対一対応する複数のビットを含み、該複数の補助キャリアの数はシステムがサポートするアグリゲーションキャリアの数である。
【００１４】
１つの可能な実現形態では、該ネットワーク装置が該端末装置に対して該第１補助キャリアを設定するとき、該第１補助キャリアがデフォルトで休眠状態にある。
【００１５】
第２形態では、補助キャリア状態の切り替え方法を提供し、該方法は、
端末装置の第１補助キャリアが休眠状態に入るとき、該端末装置が第１タイマーを起動又は再起動することと、
該端末装置が該第１タイマーの期間内に、該第１補助キャリアがアクティブ状態に入ることを指示する媒体アクセス制御（ＭＡＣ）の制御要素（ＣＥ）を受信すると、該端末装置が該第１補助キャリアを休眠状態からアクティブ状態に切り替えて、第１タイマーを起動又は再起動し、又は、該第１タイマーがタイムアウトすると、該端末装置が該第１補助キャリアを休眠状態から非アクティブ状態に切り替えることと、を含む。
【００１６】
１つの可能な実現形態では、該端末装置が第１タイマーを起動又は再起動することは、
該第１タイマーはネットワーク装置が該第１補助キャリアに対してアクティブ状態で設定したタイマーであると、該端末装置が該第１タイマーを再起動すること、又は
該第１タイマーはネットワーク装置が該第１補助キャリアに対して休眠状態で設定したタイマーであると、該端末装置が該第１タイマーを起動することを含む。
【００１７】
第３形態では、補助キャリア状態の切り替え方法を提供し、該方法は、
ネットワーク装置が端末装置に媒体アクセス制御（ＭＡＣ）の制御要素（ＣＥ）を送信し、該ＭＡＣ  ＣＥは該端末装置の第１補助キャリアを第１状態から第２状態に切り替えることを指示することに用いられ、該第１状態と該第２状態がアクティブ状態、非アクティブ状態及び休眠状態のうちの２種の異なる状態であることを含む。
【００１８】
第４形態では、上記第１形態又は第１形態のいずれかの可能な実現形態における方法を実行するための端末装置を提供する。具体的に、該端末装置は、上記第１形態又は第１形態のいずれかの可能な実現形態における方法を実行するためのユニットを備える。
【００１９】
第５形態では、上記第２形態又は第２形態のいずれかの可能な実現形態における方法を実行するための端末装置を提供する。具体的に、該端末装置は、上記第２形態又は第２形態のいずれかの可能な実現形態における方法を実行するためのユニットを備える。
【００２０】
第６形態では、上記第３形態又は第３形態のいずれかの可能な実現形態における方法を実行するためのネットワーク装置を提供する。具体的に、該ネットワーク装置は、上記第３形態又は第３形態のいずれかの可能な実現形態における方法を実行するためのユニットを備える。
【００２１】
第７形態では、メモリ、プロセッサ、入力インターフェース及び出力インターフェースを備える端末装置を提供する。メモリ、プロセッサ、入力インターフェース及び出力インターフェースはバスシステムを介して接続される。該メモリは命令を記憶することに用いられ、該プロセッサは該メモリに記憶される命令を実行することに用いられ、上記第１形態又は第１形態のいずれかの可能な実現形態における方法を実行することに用いられる。
【００２２】
第８形態では、メモリ、プロセッサ、入力インターフェース及び出力インターフェースを備える端末装置を提供する。メモリ、プロセッサ、入力インターフェース及び出力インターフェースはバスシステムを介して接続される。該メモリは命令を記憶することに用いられ、該プロセッサは該メモリに記憶される命令を実行することに用いられ、上記第２形態又は第２形態のいずれかの可能な実現形態における方法を実行することに用いられる。
【００２３】
第９形態では、メモリ、プロセッサ、入力インターフェース及び出力インターフェースを備えるネットワーク装置を提供する。メモリ、プロセッサ、入力インターフェース及び出力インターフェースはバスシステムを介して接続される。該メモリは命令を記憶することに用いられ、該プロセッサは該メモリに記憶される命令を実行することに用いられ、上記第３形態又は第３形態のいずれかの可能な実現形態における方法を実行することに用いられる。
【００２４】
第１０形態では、コンピュータ記憶媒体を提供し、上記第１形態又は第１形態のいずれかの可能な実現形態における方法、又は上記第２形態又は第２形態のいずれかの可能な実現形態における方法、又は上記第３形態又は第３形態のいずれかの可能な実現形態における方法を実行することに使用されるコンピュータソフトウェア命令を記憶することに用いられ、該コンピュータソフトウェア命令は上記形態を実行するために設計したプログラムを含む。
【００２５】
第１１形態では、命令を含むコンピュータプログラム製品を提供し、コンピュータに実行されるとき、コンピュータに上記第１形態又は第１形態のいずれかの選択可能の実現形態における方法、又は上記第２形態又は第２形態のいずれかの選択可能の実現形態における方法、又は上記第３形態又は第３形態のいずれかの選択可能の実現形態における方法を実行させる。
【００２６】
本願のこれらの形態又はその他の形態は以下の実施例の説明において簡単で理解しやすくなる。
【図面の簡単な説明】
【００２７】
【図１】図１は本願の実施例の応用シーンの模式図を示す。
【図２】図２は本願の実施例の補助キャリアの状態の切り替え方向の模式図を示す。
【図３】図３は本願の実施例の補助キャリア状態の切り替え方法の模式的なブロック図を示す。
【図４】図４は本願の実施例のＭＡＣ  ＣＥフォーマットの模式図を示す。
【図５】図５は本願の実施例の補助キャリア状態の切り替え方法の他の模式的なブロック図を示す。
【図６】図６は本願の実施例の補助キャリア状態の切り替え方法の更なる模式的なブロック図を示す。
【図７】図７は本願の実施例の補助キャリア状態の切り替え方法の更なる模式的なブロック図を示す。
【図８】図８は本願の実施例の補助キャリア状態の切り替え方法の更なる模式的なブロック図を示す。
【図９】図９は本願の実施例の補助キャリア状態の切り替え方法の更なる模式的なブロック図を示す。
【図１０】図１０は本願の実施例の補助キャリア状態の切り替え方法の更なる模式的なブロック図を示す。
【図１１】図１１は本願の実施例の端末装置の模式的なブロック図を示す。
【図１２】図１２は本願の実施例の端末装置の他の模式的なブロック図を示す。
【図１３】図１３は本願の実施例のネットワーク装置の模式的なブロック図を示す。
【図１４】図１４は本願の実施例の端末装置の更なる模式的なブロック図を示す。
【図１５】図１５は本願の実施例の端末装置の更なる模式的なブロック図を示す。
【図１６】図１６は本願の実施例のネットワーク装置の他の模式的なブロック図を示す。
【発明を実施するための形態】
【００２８】
以下、本願の実施例における図面を参照しながら、本願の実施例における技術案を明瞭で完全に説明する。
【００２９】
なお、本願の実施例の技術案は様々な通信システム、例えば、移動体通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｖｅｄ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイド・インターオペラビリティー・フォー・マイクロウェイブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、新無線（Ｎｅｗ  Ｒａｄｉｏ、ＮＲ）又は将来の５Ｇシステム等に適用されてもよい。
【００３０】
特に、本願の実施例の技術案は非直交多元接続技術に基づく様々な通信システム、例えば、疎コード多重アクセス（Ｓｐａｒｓｅ  Ｃｏｄｅ  Ｍｕｌｔｉｐｌｅ  Ａｃｃｅｓｓ、ＳＣＭＡ）システム、低密度シグネチャ（Ｌｏｗ  Ｄｅｎｓｉｔｙ  Ｓｉｇｎａｔｕｒｅ、ＬＤＳ）システム等に適用されてもよく、勿論、ＳＣＭＡシステムとＬＤＳシステムは通信分野において他の名称とも呼ばれ、更に、本願の実施例の技術案は、非直交多元接続技術を用いるマルチキャリア伝送システム、例えば、非直交多元接続技術を用いる直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルタバンクマルチキャリア（Ｆｉｌｔｅｒ  Ｂａｎｋ  Ｍｕｌｔｉ−Ｃａｒｒｉｅｒ、ＦＢＭＣ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルター処理された直交周波数分割多重方式（Ｆｉｌｔｅｒｅｄ−ＯＦＤＭ、Ｆ−ＯＦＤＭ）システム等に適用されてもよい。
【００３１】
本願の実施例の端末装置とはユーザー装置（Ｕｓｅｒ  Ｅｑｕｉｐｍｅｎｔ、ＵＥ）、アクセス端末、加入者ユニット、加入者局、モバイル、移動局、遠隔局、遠隔端末、モバイルデバイス、ユーザー端末、端末、無線通信装置、ユーザーエージェント又はユーザーデバイスを指してもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、計算装置又は無線モデムに接続される他の処理装置、車載装置、ウェアラブルデバイス、将来の５Ｇネットワークにおける端末装置又は将来進化のパブリックランドモバイルネットワーク（Ｐｕｂｌｉｃ  Ｌａｎｄ  Ｍｏｂｉｌｅ  Ｎｅｔｗｏｒｋ、ＰＬＭＮ）における端末装置等であってもよく、本願の実施例では限定しない。
【００３２】
本願の実施例のネットワーク装置は端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、更にＬＴＥシステムにおける進化型基地局（Ｅｖｏｌｕｔｉｏｎａｌ  ＮｏｄｅＢ、ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ、ＣＲＡＮ）シーンでの無線コントローラであってもよく、又は該ネットワーク装置は中継局、アクセスポイント、車載装置、ウェアラブルデバイス及び将来の５Ｇネットワークにおけるネットワーク装置又は将来進化のＰＬＭＮネットワークにおけるネットワーク装置等であってもよく、本願の実施例では限定しない。
【００３３】
図１は本願の実施例の通信システムの模式図である。該通信システムは基地局１１０を備える。端末１２０は基地局１１０を介してワイアレスネットワークにアクセスし、該ワイアレスネットワークを介して広域ネットワーク（例えば、インターネット）にアクセスし、又は他の端末と通信する。図１はＣＡシーンで基地局１１０が端末１２０と通信するシーンを示し、基地局１１０は端末に対して少なくとも２つのサービスセルを設定し、ここでそれぞれ主セル（Ｐｃｅｌｌ）と補助セル（Ｓｃｅｌｌ）であるこの２つのセルを例とする。Ｐｃｅｌｌのキャリアは主キャリアであり、Ｓｃｅｌｌのキャリアは補助キャリアである。ここでＰｃｅｌｌとＳｃｅｌｌが共通基地局でのセルであることを例とし、ＰｃｅｌｌとＳｃｅｌｌは異なる基地局でのセルであってもよい。また、Ｓｃｅｌｌの数は複数であってもよい。
【００３４】
ＬＴＥシステムにおいて、補助キャリアはアクティブ状態（ａｃｔｉｖｅ  ｓｔａｔｅ）と非アクティブ状態（ｄｅａｃｔｉｖｅ）という２種の状態を有する。アクティブ状態で、ＵＥはＰＤＣＣＨをセンシングし、ＣＱＩを報告してＲＲＭ測定を行う必要がある。非アクティブ状態で、ＵＥはＰＤＣＣＨをセンシングする必要がなく、ＣＱＩも報告せず、ＲＲＭ測定のみを行う。ネットワークが端末に対して補助キャリアを設定するとき、該補助キャリアは一般的にデフォルトで非アクティブ状態にある。
【００３５】
ＵＥが迅速に休眠状態からアクティブ状態に切り替えることを目的として、ＮＲには１つの新たな状態、即ち休眠状態（Ｄｏｒｍａｎｔ  ｓｔａｔｅ）が導入され、休眠状態で、ＵＥはＰＤＣＣＨをセンシングせず、主キャリアを介して周期的なＣＱＩをフィードバックし、且つＲＲＭ測定を行う。
【００３６】
この新たな休眠状態が導入された後、ＵＥはアクティブ状態、非アクティブ状態及び休眠状態の間に切り替えを行う必要があり、例えば、図２に示されるように、アクティブ状態から非アクティブ状態へ、非アクティブ状態からアクティブ状態へ、アクティブ状態から休眠状態へ、休眠状態からアクティブ状態へ、非アクティブ状態から休眠状態へ、及び休眠状態から非アクティブ状態へ切り替える。
【００３７】
図３は本願の実施例に係る補助キャリア状態の切り替え方法２００の模式的なブロック図である。図３に示されるように、該方法２００は以下の一部又は全部の内容を含む。
【００３８】
Ｓ２１０、端末装置はネットワーク装置から送信された媒体アクセス制御（ＭＡＣ）の制御要素（ＣＥ）を受信する。
【００３９】
Ｓ２２０、該端末装置は該ＭＡＣ  ＣＥに基づいて、該端末装置の第１補助キャリアを第１状態から第２状態に切り替え、該第１状態と該第２状態はアクティブ状態、非アクティブ状態及び休眠状態のうちの２種の異なる状態である。
【００４０】
具体的に、端末装置はネットワーク装置から送信された媒体アクセス制御の制御要素（Ｍｅｄｉａ  Ａｃｃｅｓｓ  Ｃｏｎｔｒｏｌ  Ｃｏｎｔｒｏｌ  Ｅｌｅｍｅｎｔ、ＭＡＣ  ＣＥ）に基づいて、補助キャリアの状態を切り替えることができる。ＭＡＣ  ＣＥの長さはシステムがサポートするキャリアアグリゲーションのキャリア数に関連し、一般的にＭＡＣ  ＣＥの長さは８ビットであってもよく、３２ビットであってもよい。ＬＴＥにおける８ビットのＭＡＣ  ＣＥを例として、図４に示されるように、該ＭＡＣ  ＣＥは７つのＣドメイン（Ｃ１〜Ｃ７）と１つのＲドメインを含む。補助キャリアの設定プロセスで、システムは異なる補助キャリアに対して対応のインデックス値を割り当て、ＭＡＣ  ＣＥにおけるＣドメインは対応する補助キャリアの状態を示すことができる。例えば、Ｃ１の値が１に設定される場合、インデックス値が１である補助キャリアがアクティブ化されることを示し、Ｃ２の値が１に設定される場合、インデックス値が２である補助キャリアがアクティブ化されることを示し、Ｃ１の値が０に設定される場合、インデックス値が０である補助キャリアが非アクティブ化されることを示す。ＭＡＣ  ＣＥにおけるＲドメインはリザーブビットとして用いられ、その値が一般的に０に設定される。本願の実施例では、ネットワーク装置は補助キャリアの現在の状態を組み合わせて、該補助キャリアの切り替えようとする状態をＭＡＣ  ＣＥによって指示する。例えば、第１補助キャリアが現在アクティブ状態にあり、ＭＡＣ  ＣＥのうちの、該第１補助キャリアのインデックスに対応するビットが０である場合、第１補助キャリアの状態を非アクティブ状態に切り替え、ＭＡＣ  ＣＥのうちの、該第１補助キャリアのインデックスに対応するビットが１である場合、第１補助キャリアの状態を休眠状態に切り替える。また例えば、第１補助キャリアが現在非アクティブ状態にあり、ＭＡＣ  ＣＥのうちの、該第１補助キャリアのインデックスに対応するビットが０である場合、第１補助キャリアの状態を休眠状態に切り替え、ＭＡＣ  ＣＥのうちの、該第１補助キャリアのインデックスに対応するビットが１である場合、第１補助キャリアの状態をアクティブ状態に切り替える。また例えば、第１補助キャリアが現在休眠状態にあり、ＭＡＣ  ＣＥのうちの、該第１補助キャリアのインデックスに対応するビットが０である場合、第１補助キャリアの状態を非アクティブ状態に切り替え、ＭＡＣ  ＣＥのうちの、該第１補助キャリアのインデックスに対応するビットが１である場合、第１補助キャリアの状態をアクティブ状態に切り替える。
【００４１】
従って、本願の実施例の補助キャリア状態の切り替え方法によれば、ネットワーク装置はＭＡＣ  ＣＥによって補助キャリアの状態を切り替えることを端末装置に指示し、補助キャリアの利用率と端末装置の消費電力とをバランスさせることに有利である。
【００４２】
選択肢として、本願の実施例では、ネットワーク装置は２種のタイプのＭＡＣ  ＣＥによって、補助キャリアのアクティブ状態、非アクティブ状態及び休眠状態の間での切り替えを端末装置に指示できる。該２種のタイプのＭＡＣ  ＣＥは異なる識別子で区別することができる。例えば、図４中のＲドメインの値で区別することができ、値が１であると、第１類のＭＡＣ  ＣＥであることを示し、値が０であると、第２類のＭＡＣ  ＣＥであることを示す。また例えば、ＭＡＣ  ＣＥに対応するサブヘッダに含まれるロジックチャネル識別子（ｌｏｇｉｃａｌ  ｃｈａｎｎｅｌ  ｉｄｅｎｔｉｆｙ、ＬＣＩＤ）で区別することができ、第１類のＭＡＣ  ＣＥに対応するサブヘッダは第１ＬＣＩＤを含み、第２類のＭＡＣ  ＣＥに対応するサブヘッダは第２ＬＣＩＤを含み、該第１ＬＣＩＤと第２ＬＣＩＤは異なる。なお、以下の実施例に係る第１ＭＡＣ  ＣＥと第２ＭＡＣ  ＣＥは異なるタイプのＭＡＣ  ＣＥとすることができる。
【００４３】
以下、図５〜図８を参照しながら本願の実施例について詳細に説明する。
【００４４】
実施例１
図５に示されるように、該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態又は休眠状態からアクティブ状態に切り替えること、を指示することに用いられ、
該第２ＭＡＣ  ＣＥは、該第１補助キャリアをアクティブ状態又は非アクティブ状態から休眠状態に切り替えることを指示することに用いられる。
【００４５】
例えば、端末装置が第１ＭＡＣ  ＣＥを受信した場合、第１ＭＡＣ  ＣＥのうちの、第１補助キャリアのインデックスに対応するビットが０であると、端末装置が該第１補助キャリアを非アクティブ状態に切り替え、すなわち、第１補助キャリアが現在アクティブ状態又は休眠状態にあると、該第１補助キャリアを非アクティブ状態に切り替え、第１補助キャリアが現在非アクティブ状態にあると、第１補助キャリアが非アクティブ状態を維持し、第１ＭＡＣ  ＣＥのうちの、第１補助キャリアのインデックスに対応するビットが１であると、端末装置が該第１補助キャリアをアクティブ状態に切り替え、すなわち、第１補助キャリアが現在非アクティブ状態又は休眠状態にあると、該第１補助キャリアをアクティブ状態に切り替え、第１補助キャリアが現在アクティブ状態にあると、第１補助キャリアが非アクティブ状態を維持する。端末装置が第２ＭＡＣ  ＣＥを受信した場合、該第２ＭＡＣ  ＣＥのうちの、該第１補助キャリアのインデックスに対応するビットが０であるか１であるかに関わらず、端末装置が該第１補助キャリアを休眠状態に切り替える。すなわち、第１補助キャリアが現在アクティブ状態又は非アクティブ状態にある場合、該第１補助キャリアを休眠状態に切り替え、第１補助キャリアが現在休眠状態にある場合、第１補助キャリアが休眠状態を維持する。
【００４６】
実施例２
図６に示されるように、前記ＭＡＣ  ＣＥは第１ＭＡＣ  ＣＥ又は第２ＭＡＣ  ＣＥであり、
前記第１ＭＡＣ  ＣＥは、
前記第１ＭＡＣ  ＣＥのうちの、前記第１補助キャリアのインデックスに対応するビットの値が第１値である場合、前記第１補助キャリアをアクティブ状態又は休眠状態から非アクティブ状態に切り替えること、及び
前記第１ＭＡＣ  ＣＥのうちの、前記第１補助キャリアのインデックスに対応するビットの値が第２値である場合、前記第１補助キャリアを非アクティブ状態からアクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられる。
【００４７】
例えば、端末装置が第１ＭＡＣ  ＣＥを受信した場合、第１ＭＡＣ  ＣＥのうちの、第１補助キャリアのインデックスに対応するビットが０であると、端末装置が該第１補助キャリアをアクティブ状態又は休眠状態から非アクティブ状態に切り替え、すなわち、第１補助キャリアが現在アクティブ状態又は休眠状態にあると、該第１補助キャリアを非アクティブ状態に切り替え、第１補助キャリアが現在非アクティブ状態にあると、第１補助キャリアが現在の状態を維持し、第１ＭＡＣ  ＣＥのうちの、第１補助キャリアのインデックスに対応するビットが１であると、端末装置が該第１補助キャリアを非アクティブ状態からアクティブ状態に切り替え、すなわち、第１補助キャリアが現在非アクティブ状態にあると、該第１補助キャリアをアクティブ状態に切り替え、第１補助キャリアが現在アクティブ状態又は休眠状態にあると、第１補助キャリアが現在の状態を維持する。端末装置が第２ＭＡＣ  ＣＥを受信した場合、第２ＭＡＣ  ＣＥのうちの、第１補助キャリアのインデックスに対応するビットが０であると、端末装置が該第１補助キャリアを休眠状態に切り替え、すなわち、第１補助キャリアが現在アクティブ状態又は非アクティブ状態にあると、該第１補助キャリアを休眠状態に切り替え、第１補助キャリアが現在休眠状態にあると、第１補助キャリアが休眠状態を維持し、第２ＭＡＣ  ＣＥのうちの、第１補助キャリアのインデックスに対応するビットが１であると、端末装置が該第１補助キャリアを休眠状態からアクティブ状態に切り替え、すなわち、第１補助キャリアが現在休眠状態にあると、該第１補助キャリアをアクティブ状態に切り替え、第１補助キャリアが現在アクティブ状態又は非アクティブ状態にあると、第１補助キャリアが現在の状態を維持する。
【００４８】
実施例３
図７に示されるように、前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態又は休眠状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態から非アクティブ状態に切り替えること、を指示することに用いられる。
【００４９】
例えば、端末装置が第１ＭＡＣ  ＣＥを受信した場合、第１ＭＡＣ  ＣＥのうちの、第１補助キャリアのインデックスに対応するビットが０であると、端末装置が該第１補助キャリアをアクティブ状態から非アクティブ状態に切り替え、すなわち、第１補助キャリアが現在アクティブ状態にあると、該第１補助キャリアを非アクティブ状態に切り替え、第１補助キャリアが現在非アクティブ状態又は休眠状態にあると、第１補助キャリアが現在の状態を維持し、第１ＭＡＣ  ＣＥのうちの、第１補助キャリアのインデックスに対応するビットが１であると、端末装置が該第１補助キャリアをアクティブ状態に切り替え、すなわち、第１補助キャリアが現在非アクティブ状態又は休眠状態にあると、該第１補助キャリアをアクティブ状態に切り替え、第１補助キャリアが現在アクティブ状態にあると、第１補助キャリアがアクティブ状態を維持する。端末装置が第２ＭＡＣ  ＣＥを受信した場合、第２ＭＡＣ  ＣＥのうちの、第１補助キャリアのインデックスに対応するビットが０であると、端末装置が該第１補助キャリアを休眠状態に切り替え、すなわち、第１補助キャリアが現在アクティブ状態又は非アクティブ状態にあると、該第１補助キャリアを休眠状態に切り替え、第１補助キャリアが現在休眠状態にあると、第１補助キャリアが休眠状態を維持し、第２ＭＡＣ  ＣＥのうちの、第１補助キャリアのインデックスに対応するビットが１であると、端末装置が該第１補助キャリアを休眠状態から非アクティブ状態に切り替え、すなわち、第１補助キャリアが現在休眠状態にあると、該第１補助キャリアを非アクティブ状態に切り替え、第１補助キャリアが現在アクティブ状態又は非アクティブ状態にあると、第１補助キャリアが現在の状態を維持する。
【００５０】
実施例４
図８に示されるように、前記第１ＭＡＣ  ＣＥは、
前記第１ＭＡＣ  ＣＥのうちの、前記第１補助キャリアのインデックスに対応するビットの値が第１値である場合、前記第１補助キャリアを非アクティブ状態からアクティブ状態に切り替えること、及び
前記第１ＭＡＣ  ＣＥのうちの、前記第１補助キャリアのインデックスに対応するビットの値が第２値である場合、前記第１補助キャリアをアクティブ状態から非アクティブ状態に切り替えること、を指示することに用いられ、
前記第２ＭＡＣ  ＣＥは、
前記第２ＭＡＣ  ＣＥのうちの、前記第１補助キャリアのインデックスに対応するビットの値が第１値である場合、前記第１補助キャリアをアクティブ状態から休眠状態に切り替えること、及び
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられる。
【００５１】
例えば、端末装置が第１ＭＡＣ  ＣＥを受信した場合、第１ＭＡＣ  ＣＥのうちの、第１補助キャリアのインデックスに対応するビットが０であると、端末装置が該第１補助キャリアをアクティブ状態から非アクティブ状態に切り替え、すなわち、第１補助キャリアが現在アクティブ状態にあると、該第１補助キャリアを非アクティブ状態に切り替え、第１補助キャリアが現在非アクティブ状態又は休眠状態にあると、第１補助キャリアが現在の状態を維持し、第１ＭＡＣ  ＣＥのうちの、第１補助キャリアのインデックスに対応するビットが１であると、端末装置が該第１補助キャリアを非アクティブ状態からアクティブ状態に切り替え、すなわち、第１補助キャリアが現在非アクティブ状態にあると、該第１補助キャリアをアクティブ状態に切り替え、第１補助キャリアが現在アクティブ状態又は休眠状態にあると、第１補助キャリアが現在の状態を維持する。端末装置が第２ＭＡＣ  ＣＥを受信した場合、第２ＭＡＣ  ＣＥのうちの、第１補助キャリアのインデックスに対応するビットが０であると、端末装置が該第１補助キャリアをアクティブ状態から休眠状態に切り替え、すなわち、第１補助キャリアが現在アクティブ状態にあると、該第１補助キャリアを休眠状態に切り替え、第１補助キャリアが現在休眠状態又は非アクティブ状態にあると、第１補助キャリアが現在の状態を維持し、第２ＭＡＣ  ＣＥのうちの、第１補助キャリアのインデックスに対応するビットが１であると、端末装置が該第１補助キャリアを休眠状態からアクティブ状態に切り替え、すなわち、第１補助キャリアが現在休眠状態にあると、該第１補助キャリアをアクティブ状態に切り替え、第１補助キャリアが現在アクティブ状態又は非アクティブ状態にあると、第１補助キャリアが現在の状態を維持する。
【００５２】
選択肢として、本願の実施例では、第１補助キャリアを非アクティブ状態から休眠状態に切り替えることは設定されなくてもよく、すなわち、ネットワーク装置はＭＡＣ  ＣＥによって、非アクティブ状態にある第１補助キャリアを休眠状態に切り替えることを端末装置に指示する必要がない。データを伝送する必要があると、端末装置は、休眠状態から休眠状態に移行することなく、第１補助キャリアを非アクティブ状態からアクティブ状態に直接に切り替えることができる。
【００５３】
選択肢として、本願の実施例では、第１補助キャリアを休眠状態から非アクティブ状態に切り替えることも、ＭＡＣ  ＣＥにより指示されなくてもよく、タイマーと組み合わせて実現することができる。
【００５４】
例えば、図５〜図８では、第１補助キャリアをアクティブ状態から非アクティブ状態に切り替え、アクティブ状態から休眠状態に切り替え、非アクティブ状態からアクティブ状態に切り替え、休眠状態からアクティブ状態に切り替えることは、上記第１ＭＡＣ  ＣＥと第２ＭＡＣ  ＣＥによって指示することで実現することができるが、休眠状態から非アクティブ状態に切り替えることは、タイマーを介して端末装置が自動的に実現することができる。具体的に、端末装置は第１補助キャリアを休眠状態に切り替えるとき、端末装置はタイマーを起動でき、タイマーの期間内に端末装置は第１補助キャリアをアクティブ状態に切り替えるＭＡＣ  ＣＥを受信していない場合、タイマーがタイムアウトするとき、端末装置は直接に第１補助キャリアを非アクティブ状態に切り替え、タイマーの期間内に端末装置は第１補助キャリアをアクティブ状態に切り替えるＭＡＣ  ＣＥを受信した場合、端末装置は該第１補助キャリアをアクティブ状態に切り替える。
【００５５】
当業者が理解できるように、第１補助キャリアをアクティブ状態から非アクティブ状態に切り替えることは、タイマーと組み合わせて実現することができ、すなわち、第１補助キャリアをアクティブ状態に切り替えるとき、端末装置はタイマーを起動することができ、タイマーの期間に伝送しようとするデータがない且つタイマーの期間内に第１補助キャリアを休眠状態に切り替える又はアクティブ状態を維持するＭＡＣ  ＣＥを受信していない場合、端末装置は第１補助キャリアを非アクティブ状態に切り替え、タイマーの期間内に伝送しようとするデータがあり又はタイマーの期間内に第１補助キャリアを休眠状態に切り替える又はアクティブ状態を維持するＭＡＣ  ＣＥを受信した場合、端末装置は該タイマーを再起動することができる。
【００５６】
選択肢として、本願の実施例では、上記タイマーはネットワーク装置が前記第１補助キャリアに対してアクティブ状態で設定したタイマーであり、即ち、端末装置は休眠状態でアクティブ状態に対して設定されたタイマーをそのまま用いることができると、端末装置は第１補助キャリアを休眠状態に切り替えると同時に該タイマーを再起動でき、又は、上記タイマーはネットワーク装置が前記第１補助キャリアに対して休眠状態で設定したタイマーであり、即ち、ネットワーク装置は休眠状態にある第１補助キャリアに対して新たなタイマーを別に設定すると、端末装置は第１補助キャリアを休眠状態に切り替えると同時に該タイマーを起動できる。
【００５７】
なお、以上はＭＡＣ  ＣＥにおけるビットがそれぞれ０と１であることを例として説明したが、本願の実施例はこれに限られない。また、本願の実施例の第１ＭＡＣ  ＣＥにおける第１値は第２ＭＡＣ  ＣＥにおける第１値と異なってもよく、すなわち、第１ＭＡＣ  ＣＥにおける第１値が０であり、第２ＭＡＣ  ＣＥにおける第１値が１であるようにしてもよい。
【００５８】
選択肢として、本願の実施例では、該ネットワーク装置は該端末装置に対して該第１補助キャリアを設定するとき、該第１補助キャリアがデフォルトで休眠状態にある。第１補助キャリアの初期状態を休眠状態に設定することで、端末装置は長時間にデータが伝送されていない場合、第１補助キャリアを非アクティブ状態に自動的に切り替え、データが伝送されている場合、迅速に第１補助キャリアをアクティブ状態に切り替えることができる。
【００５９】
図９は本願の実施例の補助キャリア状態の切り替え方法３００の模式的なブロック図を示す。図９に示されるように、該方法３００は以下の一部又は全部の内容を含む。
【００６０】
Ｓ３１０、端末装置の第１補助キャリアが休眠状態に入るとき、該端末装置は第１タイマーを起動又は再起動する。
【００６１】
Ｓ３２０、該端末装置が該第１タイマーの期間内に、該第１補助キャリアがアクティブ状態に入ることを指示する媒体アクセス制御（ＭＡＣ）の制御要素（ＣＥ）を受信すると、該端末装置が該第１補助キャリアを休眠状態からアクティブ状態に切り替えて、第１タイマーを起動又は再起動し、又は
該第１タイマーがタイムアウトすると、該端末装置が該第１補助キャリアを休眠状態から非アクティブ状態に切り替える。
【００６２】
従って、本願の実施例の補助キャリア状態の切り替え方法は、タイマーによって補助キャリアを休眠状態から非アクティブ状態に切り替えることを実現し、ＭＡＣ  ＣＥのオーバーヘッドを減少させることができる。
【００６３】
選択肢として、本願の実施例では、該端末装置が第１タイマーを起動又は再起動することは、該第１タイマーはネットワーク装置が該第１補助キャリアに対してアクティブ状態で設定したタイマーであると、該端末装置が該第１タイマーを再起動すること、又は、該第１タイマーはネットワーク装置が該第１補助キャリアに対して休眠状態で設定したタイマーであると、該端末装置が該第１タイマーを起動することを含む。
【００６４】
なお、本願の実施例に係る方法３００の関連内容については、上記方法２００で詳しく説明されており、簡明のために、ここで繰り返して説明しない。
【００６５】
図１０は本願の実施例の補助キャリア状態の切り替え方法４００の模式的なブロック図を示す。図１０に示されるように、該方法４００は以下の一部又は全部の内容を含む。
【００６６】
Ｓ４００、ネットワーク装置が端末装置に媒体アクセス制御（ＭＡＣ）の制御要素（ＣＥ）を送信し、該ＭＡＣ  ＣＥは該端末装置の第１補助キャリアを第１状態から第２状態に切り替えることを指示することに用いられ、該第１状態と該第２状態はアクティブ状態、非アクティブ状態及び休眠状態のうちの２種の異なる状態である。
【００６７】
従って、本願の実施例の補助キャリア状態の切り替え方法によれば、ネットワーク装置はＭＡＣ  ＣＥによって補助キャリアの状態を切り替えることを端末装置に指示し、補助キャリアの利用率と端末装置の消費電力とをバランスさせることに有利である。
【００６８】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態又は休眠状態からアクティブ状態に切り替えること、を指示することに用いられ、
該第２ＭＡＣ  ＣＥは、該第１補助キャリアをアクティブ状態又は非アクティブ状態から休眠状態に切り替えることを指示することに用いられる。
【００６９】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態からアクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態又は非アクティブ状態から休眠状態に切り替えること、及び
該第２ＭＡＣ  ＣＥのうちの、該第１補助キャリアのインデックスに対応するビットの値が第２値である場合、該第１補助キャリアを休眠状態からアクティブ状態に切り替えること、を指示することに用いられる。
【００７０】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアを非アクティブ状態又は休眠状態からアクティブ状態に切り替えること、及び
該第１ＭＡＣ  ＣＥのうちの、該第１補助キャリアのインデックスに対応するビットの値が第２値である場合、該第１補助キャリアをアクティブ状態から非アクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態又は非アクティブ状態から休眠状態に切り替えること、及び
該第２ＭＡＣ  ＣＥのうちの、該第１補助キャリアのインデックスに対応するビットの値が第２値である場合、該第１補助キャリアを休眠状態から非アクティブ状態に切り替えること、を指示することに用いられる。
【００７１】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアを非アクティブ状態からアクティブ状態に切り替えること、及び
該第１ＭＡＣ  ＣＥのうちの、該第１補助キャリアのインデックスに対応するビットの値が第２値である場合、該第１補助キャリアをアクティブ状態から非アクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態から休眠状態に切り替えること、及び
該第２ＭＡＣ  ＣＥのうちの、該第１補助キャリアのインデックスに対応するビットの値が第２値である場合、該第１補助キャリアを休眠状態からアクティブ状態に切り替えること、を指示することに用いられる。
【００７２】
選択肢として、本願の実施例では、該第１ＭＡＣ  ＣＥに対応するサブヘッダは第１ロジックチャネル識別子（ＬＣＩＤ）を含み、該第２ＭＡＣ  ＣＥに対応するサブヘッダは第２ＬＣＩＤを含み、該第１ＬＣＩＤと該第２ＬＣＩＤは異なる。
【００７３】
選択肢として、本願の実施例では、該ＭＡＣ  ＣＥは該端末装置の複数の補助キャリアに一対一対応する複数のビットを含み、該複数の補助キャリアの数はシステムがサポートするアグリゲーションキャリアの数である。
【００７４】
選択肢として、本願の実施例では、該ネットワーク装置が該端末装置に対して該第１補助キャリアを設定するとき、該第１補助キャリアがデフォルトで休眠状態にある。
【００７５】
なお、ネットワーク側で説明されたネットワーク装置と端末装置との間のインタラクションや関連性能、機能等は端末装置の関連性能、機能に対応する。また、関連内容については上記方法２００で詳しく説明されており、簡明のために、ここで繰り返して説明しない。
【００７６】
また、本願の様々な実施例では、上記各プロセスの番号の大きさは実行順序を意味するものではなく、各プロセスの実行順序はその機能と内部ロジックによって決定されるべきであり、本願の実施例の実施プロセスに対するいかなる制限も構成しない。
【００７７】
以上、本願の実施例による第１マルチアンテナの送信モードの決定方法について詳細に説明したが、以下、図１１〜図１６を参照しながら、本願の実施例による補助キャリア状態の切り替え装置について説明し、方法実施例で説明された技術的特徴は以下の装置実施例に適用できる。
【００７８】
図１１は本願の実施例の端末装置５００の模式的なブロック図を示す。図１１に示されるように、該端末装置５００は、
ネットワーク装置から送信された媒体アクセス制御（ＭＡＣ）の制御要素（ＣＥ）を受信することに用いられる受信ユニット５１０と、
該ＭＡＣ  ＣＥに基づいて、該端末装置の第１補助キャリアを第１状態から第２状態に切り替え、該第１状態と該第２状態がアクティブ状態、非アクティブ状態及び休眠状態のうちの２種の異なる状態である切り替えユニット５２０と、を備える。
【００７９】
従って、本願の実施例の端末装置によれば、ネットワーク装置はＭＡＣ  ＣＥによって補助キャリアの状態を切り替えることを端末装置に指示し、補助キャリアの利用率と端末装置の消費電力とをバランスさせることに有利である。
【００８０】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態又は休眠状態からアクティブ状態に切り替えること、を指示することに用いられ、
該第２ＭＡＣ  ＣＥは、該第１補助キャリアをアクティブ状態又は非アクティブ状態から休眠状態に切り替えることを指示することに用いられる。
【００８１】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態からアクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態又は非アクティブ状態から休眠状態に切り替えること、及び
該第２ＭＡＣ  ＣＥのうちの、該第１補助キャリアのインデックスに対応するビットの値が第２値である場合、該第１補助キャリアを休眠状態からアクティブ状態に切り替えること、を指示することに用いられる。
【００８２】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアを非アクティブ状態又は休眠状態からアクティブ状態に切り替えること、及び
該第１ＭＡＣ  ＣＥのうちの、該第１補助キャリアのインデックスに対応するビットの値が第２値である場合、該第１補助キャリアをアクティブ状態から非アクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態又は非アクティブ状態から休眠状態に切り替えること、及び
該第２ＭＡＣ  ＣＥのうちの、該第１補助キャリアのインデックスに対応するビットの値が第２値である場合、該第１補助キャリアを休眠状態から非アクティブ状態に切り替えること、を指示することに用いられる。
【００８３】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアを非アクティブ状態からアクティブ状態に切り替えること、及び
該第１ＭＡＣ  ＣＥのうちの、該第１補助キャリアのインデックスに対応するビットの値が第２値である場合、該第１補助キャリアをアクティブ状態から非アクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態から休眠状態に切り替えること、及び
該第２ＭＡＣ  ＣＥのうちの、該第１補助キャリアのインデックスに対応するビットの値が第２値である場合、該第１補助キャリアを休眠状態からアクティブ状態に切り替えること、を指示することに用いられる。
【００８４】
選択肢として、本願の実施例では、該第１ＭＡＣ  ＣＥに対応するサブヘッダは第１ロジックチャネル識別子（ＬＣＩＤ）を含み、該第２ＭＡＣ  ＣＥに対応するサブヘッダは第２ＬＣＩＤを含み、該第１ＬＣＩＤと該第２ＬＣＩＤは異なる。
【００８５】
選択肢として、本願の実施例では、該第１状態がアクティブ状態であり、該第２状態が休眠状態であり、該端末装置は、該第１補助キャリアがアクティブ状態から休眠状態に入るとき、第１タイマーを起動又は再起動することに用いられるタイミングユニットを更に備え、該切り替えユニットは更に、該受信ユニットが該第１タイマーの期間内に、該第１補助キャリアが休眠状態からアクティブ状態に入ることを指示するためのＭＡＣ  ＣＥを受信すると、該第１補助キャリアを休眠状態からアクティブ状態に切り替え、又は、該第１タイマーがタイムアウトすると、該第１補助キャリアを休眠状態から非アクティブ状態に切り替えることに用いられる。
【００８６】
選択肢として、本願の実施例では、該タイミングユニットは具体的に、該第１タイマーは該ネットワーク装置が該第１補助キャリアに対してアクティブ状態で設定したタイマーであると、該第１タイマーを再起動すること、又は、該第１タイマーは該ネットワーク装置が該第１補助キャリアに対して休眠状態で設定したタイマーであると、該第１タイマーを起動することに用いられる。
【００８７】
選択肢として、本願の実施例では、該ＭＡＣ  ＣＥは該端末装置の複数の補助キャリアに一対一対応する複数のビットを含み、該複数の補助キャリアの数はシステムがサポートするアグリゲーションキャリアの数である。
【００８８】
選択肢として、本願の実施例では、該ネットワーク装置が該端末装置に対して該第１補助キャリアを設定するとき、該第１補助キャリアがデフォルトで休眠状態にある。
【００８９】
なお、本願の実施例による端末装置５００は本願の方法実施例における端末装置に対応することができ、また、端末装置５００における各ユニットの以上と他の操作及び／又は機能はそれぞれ図３の方法の端末装置の対応するプロセスを実現するためのものであり、簡明のために、ここで繰り返して説明しない。
【００９０】
図１２は本願の実施例の端末装置６００の模式的なブロック図を示す。図１２に示されるように、該端末装置６００は、
端末装置の第１補助キャリアが休眠状態に入るとき、第１タイマーを起動又は再起動することに用いられるタイミングユニット６１０と、
該端末装置が該第１タイマーの期間内に、該第１補助キャリアがアクティブ状態に入ることを指示する媒体アクセス制御（ＭＡＣ）の制御要素（ＣＥ）を受信すると、該第１補助キャリアを休眠状態からアクティブ状態に切り替え、又は、該第１タイマーがタイムアウトすると、該第１補助キャリアを休眠状態から非アクティブ状態に切り替えることに用いられる切り替えユニット６２０と、を備える。
【００９１】
従って、本願の実施例の端末装置は、タイマーによって補助キャリアを休眠状態から非アクティブ状態に切り替えることを実現し、ＭＡＣ  ＣＥのオーバーヘッドを減少させることができる。
【００９２】
選択肢として、本願の実施例では、該タイミングユニットは具体的に、該第１タイマーはネットワーク装置が該第１補助キャリアに対してアクティブ状態で設定したタイマーであると、該第１タイマーを再起動すること、又は、該第１タイマーはネットワーク装置が該第１補助キャリアに対して休眠状態で設定したタイマーであると、該第１タイマーを起動することに用いられる。
【００９３】
なお、本願の実施例による端末装置６００は本願の方法実施例における端末装置に対応することができ、また、端末装置６００における各ユニットの以上と他の操作及び／又は機能はそれぞれ図９の方法の端末装置の対応するプロセスを実現するためのものであり、簡明のために、ここで繰り返して説明しない。
【００９４】
図１３は本願の実施例のネットワーク装置７００の模式的なブロック図を示す。図１３に示されるように、該ネットワーク装置７００は、
端末装置に媒体アクセス制御（ＭＡＣ）の制御要素（ＣＥ）を送信することに用いられ、該ＭＡＣ  ＣＥは該端末装置の第１補助キャリアを第１状態から第２状態に切り替えることを指示することに用いられ、該第１状態と該第２状態がアクティブ状態、非アクティブ状態及び休眠状態のうちの２種の異なる状態である送信ユニット７１０を備える。
【００９５】
従って、本願の実施例のネットワーク装置によれば、ネットワーク装置はＭＡＣ  ＣＥによって補助キャリアの状態を切り替えることを端末装置に指示し、補助キャリアの利用率と端末装置の消費電力とをバランスさせることに有利である。
【００９６】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態又は休眠状態からアクティブ状態に切り替えること、を指示することに用いられ、
該第２ＭＡＣ  ＣＥは、該第１補助キャリアをアクティブ状態又は非アクティブ状態から休眠状態に切り替えることを指示することに用いられる。
【００９７】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアをアクティブ状態又は休眠状態から非アクティブ状態に切り替えること、及び
該第１ＭＡＣ  ＣＥのうちの、該第１補助キャリアのインデックスに対応するビットの値が第２値である場合、該第１補助キャリアを非アクティブ状態からアクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態又は非アクティブ状態から休眠状態に切り替えること、及び
該第２ＭＡＣ  ＣＥのうちの、該第１補助キャリアのインデックスに対応するビットの値が第２値である場合、該第１補助キャリアを休眠状態からアクティブ状態に切り替えること、を指示することに用いられる。
【００９８】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアを非アクティブ状態又は休眠状態からアクティブ状態に切り替えること、及び
該第１ＭＡＣ  ＣＥのうちの、該第１補助キャリアのインデックスに対応するビットの値が第２値である場合、該第１補助キャリアをアクティブ状態から非アクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態又は非アクティブ状態から休眠状態に切り替えること、及び
該第２ＭＡＣ  ＣＥのうちの、該第１補助キャリアのインデックスに対応するビットの値が第２値である場合、該第１補助キャリアを休眠状態から非アクティブ状態に切り替えること、を指示することに用いられる。
【００９９】
選択肢として、本願の実施例では、該ＭＡＣ  ＣＥは第１ＭＡＣ  ＣＥ又は第２ＭＡＣ  ＣＥであり、
該第１ＭＡＣ  ＣＥは、
該第１ＭＡＣ  ＣＥのうちの、該第１補助キャリアのインデックスに対応するビットの値が第１値である場合、該第１補助キャリアを非アクティブ状態からアクティブ状態に切り替えること、及び
該第１ＭＡＣ  ＣＥのうちの、該第１補助キャリアのインデックスに対応するビットの値が第２値である場合、該第１補助キャリアをアクティブ状態から非アクティブ状態に切り替えること、を指示することに用いられ、
該第２ＭＡＣ  ＣＥは、
該第２ＭＡＣ  ＣＥのうちの、該第１補助キャリアのインデックスに対応するビットの値が第１値である場合、該第１補助キャリアをアクティブ状態から休眠状態に切り替えること、及び
該第２ＭＡＣ  ＣＥのうちの、該第１補助キャリアのインデックスに対応するビットの値が第２値である場合、該第１補助キャリアを休眠状態からアクティブ状態に切り替えること、を指示することに用いられる。
【０１００】
選択肢として、本願の実施例では、該第１ＭＡＣ  ＣＥに対応するサブヘッダは第１ロジックチャネル識別子（ＬＣＩＤ）を含み、該第２ＭＡＣ  ＣＥに対応するサブヘッダは第２ＬＣＩＤを含み、該第１ＬＣＩＤと該第２ＬＣＩＤは異なる。
【０１０１】
選択肢として、本願の実施例では、該ＭＡＣ  ＣＥは該端末装置の複数の補助キャリアに一対一対応する複数のビットを含み、該複数の補助キャリアの数はシステムがサポートするアグリゲーションキャリアの数である。
【０１０２】
選択肢として、本願の実施例では、該ネットワーク装置が該端末装置に対して該第１補助キャリアを設定するとき、該第１補助キャリアがデフォルトで休眠状態にある。
【０１０３】
なお、本願の実施例によるネットワーク装置７００は本願の方法実施例におけるネットワーク装置に対応することができ、また、ネットワーク装置７００における各ユニットの以上と他の操作及び／又は機能はそれぞれ図１０の方法のネットワーク装置の対応するプロセスを実現するためのものであり、簡明のために、ここで繰り返して説明しない。
【０１０４】
図１４に示されるように、本願の実施例は更に端末装置８００を提供し、該端末装置８００は図１１における端末装置５００であってもよく、図３における方法２００に対応する端末装置の内容を実行することに用いられる。該端末装置８００は、入力インターフェース８１０、出力インターフェース８２０、プロセッサ８３０及びメモリ８４０を備え、該入力インターフェース８１０、出力インターフェース８２０、プロセッサ８３０及びメモリ８４０はバスシステムを介して接続される。該メモリ８４０はプログラム、命令又はコードを記憶することに用いられる。該プロセッサ８３０は、該メモリ８４０におけるプログラム、命令又はコードを実行して、入力インターフェース８１０による信号受信、出力インターフェース８２０による信号送信を制御し、前述方法実施例の操作を遂行することに用いられる。
【０１０５】
なお、本願の実施例では、該プロセッサ８３０は中央処理装置（Ｃｅｎｔｒａｌ  Ｐｒｏｃｅｓｓｉｎｇ  Ｕｎｉｔ、ＣＰＵ）であってもよく、更にその他の汎用プロセッサ、デジタル信号プロセッサ、専用集積回路、フィールドプログラマブルゲートアレイ又はその他のプログラマブルロジックデバイス、離散ゲート又はトランジスタロジックデバイス、離散ハードウェアユニット等であってもよい。汎用プロセッサはマイクロプロセッサーであってもよく、又は該プロセッサは任意の通常のプロセッサ等であってもよい。
【０１０６】
該メモリ８４０は読み出し専用メモリとランダムアクセスメモリを含んでもよく、プロセッサ８３０に命令とデータを提供する。メモリ８４０の一部は更に不揮発性ランダムアクセスメモリを含んでもよい。例えば、メモリ８４０は更にデバイスタイプの情報を記憶してもよい。
【０１０７】
実現プロセスで、上記方法の各内容はプロセッサ８３０におけるハードウェアの集成論理回路又はソフトウェア形態の命令により遂行できる。本願の実施例に開示されている方法の内容は、ハードウェアプロセッサによる遂行、又はプロセッサにおけるハードウェア及びソフトウェアモジュールの組合せによる遂行として直接に具現されてもよい。ソフトウェアモジュールはランダムアクセスメモリ、フラッシュメモリ、読み出し専用メモリ、プログラマブル読み出し専用メモリ又は電気的に消去可能なプログラマブルメモリ、レジスタ等の本分野の成熟した記憶媒体に位置してもよい。該記憶媒体はメモリ８４０に位置し、プロセッサ８３０はメモリ８４０における情報を読み取り、そのハードウェアと組み合わせて上記方法の内容を遂行する。重複を避けるために、ここで詳細に説明しない。
【０１０８】
１つの具体的な実施形態では、端末装置５００における受信ユニットは、図１４における入力インターフェース８１０により実現することができ、端末装置５００における切り替えユニットは図１４におけるプロセッサ８３０により実現することができる。
【０１０９】
図１５に示されるように、本願の実施例は更に端末装置９００を提供し、該端末装置９００は図１２における端末装置６００であってもよく、図９における方法３００に対応する端末装置の内容を実行することに用いられる。該端末装置９００は、入力インターフェース９１０、出力インターフェース９２０、プロセッサ９３０及びメモリ９４０を備え、該入力インターフェース９１０、出力インターフェース９２０、プロセッサ９３０及びメモリ９４０はバスシステムを介して接続される。該メモリ９４０はプログラム、命令又はコードを記憶することに用いられる。該プロセッサ９３０は、該メモリ９４０におけるプログラム、命令又はコードを実行して、入力インターフェース９１０による信号受信、出力インターフェース９２０による信号送信を制御し、前述方法実施例の操作を遂行することに用いられる。
【０１１０】
なお、本願の実施例では、該プロセッサ９３０は中央処理装置（Ｃｅｎｔｒａｌ  Ｐｒｏｃｅｓｓｉｎｇ  Ｕｎｉｔ、ＣＰＵ）であってもよく、更にその他の汎用プロセッサ、デジタル信号プロセッサ、専用集積回路、フィールドプログラマブルゲートアレイ又はその他のプログラマブルロジックデバイス、離散ゲート又はトランジスタロジックデバイス、離散ハードウェアユニット等であってもよい。汎用プロセッサはマイクロプロセッサーであってもよく、又は該プロセッサは任意の通常のプロセッサ等であってもよい。
【０１１１】
該メモリ９４０は読み出し専用メモリとランダムアクセスメモリを含んでもよく、プロセッサ９３０に命令とデータを提供する。メモリ９４０の一部は更に不揮発性ランダムアクセスメモリを含んでもよい。例えば、メモリ９４０は更にデバイスタイプの情報を記憶してもよい。
【０１１２】
実現プロセスで、上記方法の各内容はプロセッサ９３０におけるハードウェアの集成論理回路又はソフトウェア形態の命令により遂行できる。本願の実施例に開示されている方法の内容は、ハードウェアプロセッサによる遂行、又はプロセッサにおけるハードウェア及びソフトウェアモジュールの組合せによる遂行として直接に具現されてもよい。ソフトウェアモジュールはランダムアクセスメモリ、フラッシュメモリ、読み出し専用メモリ、プログラマブル読み出し専用メモリ又は電気的に消去可能なプログラマブルメモリ、レジスタ等の本分野の成熟した記憶媒体に位置してもよい。該記憶媒体はメモリ９４０に位置し、プロセッサ９３０はメモリ９４０における情報を読み取り、そのハードウェアと組み合わせて上記方法の内容を遂行する。重複を避けるために、ここで詳細に説明しない。
【０１１３】
１つの具体的な実施形態では、端末装置６００におけるタイミングユニットと切り替えユニットは図１５におけるプロセッサ９３０により実現することができる。
【０１１４】
図１６に示されるように、本願の実施例は更にネットワーク装置１０００を提供し、該ネットワーク装置１０００は図１３におけるネットワーク装置７００であってもよく、図１０における方法３００に対応するネットワーク装置の内容を実行することに用いられる。該ネットワーク装置１０００は、入力インターフェース１０１０、出力インターフェース１０２０、プロセッサ１０３０及びメモリ１０４０を備え、該入力インターフェース１０１０、出力インターフェース１０２０、プロセッサ１０３０及びメモリ１０４０はバスシステムを介して接続される。該メモリ１０４０はプログラム、命令又はコードを記憶することに用いられる。該プロセッサ１０３０は、該メモリ１０４０におけるプログラム、命令又はコードを実行して、入力インターフェース１０１０による信号受信、出力インターフェース１０２０による信号送信を制御し、前述方法実施例の操作を遂行することに用いられる。
【０１１５】
なお、本願の実施例では、該プロセッサ１０３０は中央処理装置（Ｃｅｎｔｒａｌ  Ｐｒｏｃｅｓｓｉｎｇ  Ｕｎｉｔ、ＣＰＵ）であってもよく、該プロセッサ１０３０は更に他の汎用プロセッサ、デジタル信号プロセッサ、専用集積回路、フィールドプログラマブルゲートアレイ又はその他のプログラマブルロジックデバイス、離散ゲート又はトランジスタロジックデバイス、離散ハードウェアユニット等であってもよい。汎用プロセッサはマイクロプロセッサーであってもよく、又は該プロセッサは任意の通常のプロセッサ等であってもよい。
【０１１６】
該メモリ１０４０は読み出し専用メモリとランダムアクセスメモリを含んでもよく、プロセッサ１０３０は命令とデータを提供する。メモリ１０４０の一部は更に不揮発性ランダムアクセスメモリを含んでもよい。例えば、メモリ１０４０は更にデバイスタイプの情報を記憶してもよい。
【０１１７】
実現プロセスで、上記方法の各内容はプロセッサ１０３０におけるハードウェアの集成論理回路又はソフトウェア形態の命令により遂行できる。本願の実施例に開示されている方法の内容は、ハードウェアプロセッサによる遂行、又はプロセッサにおけるハードウェア及びソフトウェアモジュールの組合せによる遂行として直接に具現されてもよい。ソフトウェアモジュールはランダムアクセスメモリ、フラッシュメモリ、読み出し専用メモリ、プログラマブル読み出し専用メモリ又は電気的に消去可能なプログラマブルメモリ、レジスタ等の本分野の成熟した記憶媒体に位置してもよい。該記憶媒体はメモリ１０４０に位置し、プロセッサ１０３０はメモリ１０４０における情報を読み取り、そのハードウェアと組み合わせて上記方法の内容を遂行する。重複を避けるために、ここで詳細に説明しない。
【０１１８】
１つの具体的な実施形態では、ネットワーク装置７００における送信ユニットは図１６における出力インターフェース１０２０により実現することができる。
【０１１９】
当業者であれば意識できるように、本明細書に開示されている実施例に説明された各例のユニット及びアルゴリズムステップは、電子ハードウェア、又はコンピュータソフトウェア及び電子ハードウェアの組み合わせにより実現することができる。これらの機能がハードウェア形態により実行されるか、ソフトウェア形態により実行されるかは、技術案の特定の応用と設計制約条件に決められる。当業者は各特定の応用に対して異なる方法を用いて、説明された機能を実現できるが、この実現は本願の範囲を超えていない。
【０１２０】
当業者であれば理解できるように、容易で簡単に説明するために、以上説明されたシステム、装置及びユニットの具体的な動作プロセスについては、前述した方法実施例における対応のプロセスを参照でき、ここで繰り返して説明しない。
【０１２１】
本願に係るいくつかの実施例では、開示されるシステム、装置及び方法は、他の形態により実現されてもよいことを理解すべきである。例えば、以上説明された装置実施例は模式的なものに過ぎず、例えば、該ユニットの区別はロジック機能についての区別に過ぎず、実際に実現するとき、他の区別方式を用いてもよく、例えば複数のユニット又はアセンブリが他のシステムに結合又は統合されてもよく、又はいくつかの特徴は省略してもよく、又は実行しなくてもよい。また、表示又は検討される相互間の結合又は直接結合又は通信接続は、いくつかのインターフェース、装置又はユニットによる間接結合又は通信接続であってもよく、電気、機械又は他の形式であってもよい。
【０１２２】
分離部品として説明される該ユニットは物理的に分離してもよく、物理的に分離しなくてもよく、ユニットとして表示される部品は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０１２３】
また、本願の各実施例における各機能ユニットは１つの処理ユニットに統合されてもよく、各ユニットが独立して物理的に存在してもよく、２つ以上のユニットが１つのユニットに統合されてもよい。
【０１２４】
該機能がソフトウェア機能ユニットの形態で実現され、且つ独立した製品として販売又は使用されるとき、１つのコンピュータ可読記憶媒体に記憶されてもよい。このような理解に基づいて、本願の技術案の本質的又は従来技術に寄与する一部又は該技術案の一部はソフトウェア製品の形態として具現されてもよく、該コンピュータソフトウェア製品が１つの記憶媒体に記憶され、１台のコンピュータ装置（パソコン、サーバ、又はネットワーク装置等であってもよい）に本願の各実施例の全部又は一部のステップを実行させるためのいくつかの命令を含む。前述の記憶媒体はＵディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等の、プロクラムコードを記憶可能な様々な媒体を含む。
【０１２５】
以上は、本願の具体的な実施形態に過ぎないが、本願の特許範囲はこれに限られず、当業者が本願に開示される技術範囲内に、容易に想到し得る変化や置換は、いずれも本願の特許範囲内に含まれる。従って、本願の特許範囲は特許請求の範囲を基準とする。
【図１】
2021516503.tif 000003
【図２】
2021516503.tif 000004
【図３】
2021516503.tif 000005
【図４】
2021516503.tif 000006
【図５】
2021516503.tif 000007
【図６】
2021516503.tif 000008
【図７】
2021516503.tif 000009
【図８】
2021516503.tif 000010
【図９】
2021516503.tif 000011
【図１０】
2021516503.tif 000012
【図１１】
2021516503.tif 000013
【図１２】
2021516503.tif 000014
【図１３】
2021516503.tif 000015
【図１４】
2021516503.tif 000016
【図１５】
2021516503.tif 000017
【図１６】
2021516503.tif 000018
【手続補正書】
【提出日】令和2年9月9日(2020.9.9)
【手続補正１】
【補正対象書類名】明細書
【補正対象項目名】００５２
【補正方法】変更
【補正の内容】
【００５２】
選択肢として、本願の実施例では、第１補助キャリアを非アクティブ状態から休眠状態に切り替えることは設定されなくてもよく、すなわち、ネットワーク装置はＭＡＣ  ＣＥによって、非アクティブ状態にある第１補助キャリアを休眠状態に切り替えることを端末装置に指示する必要がない。データを伝送する必要があると、端末装置は、休眠状態からアクティブ状態に移行することなく、第１補助キャリアを非アクティブ状態からアクティブ状態に直接に切り替えることができる。
【手続補正２】
【補正対象書類名】明細書
【補正対象項目名】００６６
【補正方法】変更
【補正の内容】
【００６６】
Ｓ４１０、ネットワーク装置が端末装置に媒体アクセス制御（ＭＡＣ）の制御要素（ＣＥ）を送信し、該ＭＡＣ  ＣＥは該端末装置の第１補助キャリアを第１状態から第２状態に切り替えることを指示することに用いられ、該第１状態と該第２状態はアクティブ状態、非アクティブ状態及び休眠状態のうちの２種の異なる状態である。
【手続補正３】
【補正対象書類名】明細書
【補正対象項目名】００７７
【補正方法】変更
【補正の内容】
【００７７】
以上、本願の実施例による補助キャリア状態の切り替え方法について詳細に説明したが、以下、図１１〜図１６を参照しながら、本願の実施例による補助キャリア状態の切り替え装置について説明し、方法実施例で説明された技術的特徴は以下の装置実施例に適用できる。
【手続補正４】
【補正対象書類名】特許請求の範囲
【補正対象項目名】全文
【補正方法】変更
【補正の内容】
【特許請求の範囲】
【請求項１】
補助キャリア状態の切り替え方法であって、
端末装置がネットワーク装置から送信された媒体アクセス制御（ＭＡＣ）の制御要素（ＣＥ）を受信することと、
前記端末装置が前記ＭＡＣ  ＣＥに基づいて、前記端末装置の第１補助キャリアを第１状態から第２状態に切り替え、前記第１状態と前記第２状態のうちの１つの状態が休眠状態であり、他の一つがアクティブ状態又は非アクティブ状態であることと、を含むことを特徴とする補助キャリア状態の切り替え方法。
【請求項２】
前記ＭＡＣ  ＣＥは第１ＭＡＣ  ＣＥであると、
前記第１ＭＡＣ  ＣＥは、前記第１補助キャリアを休眠状態から非アクティブ状態に切り替えることを指示することに用いられることを特徴とする請求項１に記載の方法。
【請求項３】
前記第１ＭＡＣ  ＣＥは具体的に、前記第１ＭＡＣ  ＣＥのうちの、前記第１補助キャリアのインデックスに対応するビットの値が第１値である場合、前記第１補助キャリアを休眠状態から非アクティブ状態に切り替えることを指示することに用いられることを特徴とする請求項２に記載の方法。
【請求項４】
前記ＭＡＣ  ＣＥは第２ＭＡＣ  ＣＥであると、
前記第２ＭＡＣ  ＣＥは、前記第１補助キャリアを休眠状態と他の状態の間に切り替えることを指示することに用いられることを特徴とする請求項２に記載の方法。
【請求項５】
前記第２ＭＡＣ  ＣＥは具体的に、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替え、
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項４に記載の方法。
【請求項６】
前記第２ＭＡＣ  ＣＥは、Ｒドメインビットと複数のＣドメインビットを含み、前記Ｒドメインビットはリザーブビットであり、前記Ｒドメインビットの値は０であり、各前記Ｃドメインビットは１つの補助キャリアのインデックスに対応することを特徴とする請求項４に記載の方法。
【請求項７】
前記第２ＭＡＣ  ＣＥの長さは８ビットであり、又は、３２ビットであることを特徴とする請求項６に記載の方法。
【請求項８】
前記第２ＭＡＣ  ＣＥにおける第１値は１であることを特徴とする請求項５に記載の方法。
【請求項９】
前記第１ＭＡＣ  ＣＥにおける第１値は０であることを特徴とする請求項３に記載の方法。
【請求項１０】
前記第１ＭＡＣ  ＣＥに対応するサブヘッダは第１ロジックチャネル識別子（ＬＣＩＤ）を含み、前記第２ＭＡＣ  ＣＥに対応するサブヘッダは第２ＬＣＩＤを含み、前記第１ＬＣＩＤと前記第２ＬＣＩＤは異なることを特徴とする請求項４〜９のいずれか１項に記載の方法。
【請求項１１】
前記第１状態がアクティブ状態であり、前記第２状態が休眠状態であり、前記方法は、
前記第１補助キャリアがアクティブ状態から休眠状態に入るとき、前記端末装置が第１タイマーを起動又は再起動することと、
前記第１タイマーがタイムアウトすると、前記端末装置が前記第１補助キャリアを休眠状態から非アクティブ状態に切り替えることと、を更に含むことを特徴とする請求項１〜１０のいずれか１項に記載の方法。
【請求項１２】
補助キャリア状態の切り替え方法であって、
ネットワーク装置が端末装置に媒体アクセス制御（ＭＡＣ）の制御要素（ＣＥ）を送信し、前記ＭＡＣ  ＣＥは前記端末装置の第１補助キャリアを第１状態から第２状態に切り替えることを指示することに用いられ、前記第１状態と前記第２状態のうちの１つの状態が休眠状態であり、他の一つがアクティブ状態又は非アクティブ状態であることを含むことを特徴とする補助キャリア状態の切り替え方法。
【請求項１３】
前記ＭＡＣ  ＣＥは第１ＭＡＣ  ＣＥであると、
前記第１ＭＡＣ  ＣＥは、前記第１補助キャリアを休眠状態から非アクティブ状態に切り替えることを指示することに用いられることを特徴とする請求項１２に記載の方法。
【請求項１４】
前記第１ＭＡＣ  ＣＥは具体的に、前記第１ＭＡＣ  ＣＥのうちの、前記第１補助キャリアのインデックスに対応するビットの値が第１値である場合、前記第１補助キャリアを休眠状態から非アクティブ状態に切り替えることを指示することに用いられることを特徴とする請求項１３に記載の方法。
【請求項１５】
前記ＭＡＣ  ＣＥは第２ＭＡＣ  ＣＥであると、前記第２ＭＡＣ  ＣＥは、前記第１補助キャリアを休眠状態と他の状態の間に切り替えることを指示することに用いられることを特徴とする請求項１３に記載の方法。
【請求項１６】
前記第２ＭＡＣ  ＣＥは具体的に、
前記第２ＭＡＣ  ＣＥのうちの、前記第１補助キャリアのインデックスに対応するビットの値が第１値である場合、前記第１補助キャリアをアクティブ状態又は非アクティブ状態から休眠状態に切り替え、
前記第２ＭＡＣ  ＣＥのうちの、前記第１補助キャリアのインデックスに対応するビットの値が第２値である場合、前記第１補助キャリアを休眠状態からアクティブ状態に切り替えること、を指示することに用いられることを特徴とする請求項１５に記載の方法。
【請求項１７】
前記第２ＭＡＣ  ＣＥは、Ｒドメインビットと複数のＣドメインビットを含み、前記Ｒドメインビットはリザーブビットであり、前記Ｒドメインビットの値は０であり、各前記Ｃドメインビットは１つの補助キャリアのインデックスに対応することを特徴とする請求項１５又は１６に記載の方法。
【請求項１８】
前記第２ＭＡＣ  ＣＥの長さは８ビットであり、又は、３２ビットであることを特徴とする請求項１７に記載の方法。
【請求項１９】
端末装置であって、請求項１〜１１のいずれか１項に記載の方法を実行するためのユニットを備えることを特徴とする端末装置。
【請求項２０】
ネットワーク装置であって、請求項１２〜１８のいずれか１項に記載の方法を実行するためのユニットを備えることを特徴とするネットワーク装置。
【国際調査報告】
2021516503.tif 000019
2021516503.tif 000020
2021516503.tif 000021
2021516503.tif 000022